【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二分せず、
前記断面の前記内周内に配置される内接円が、前記内接円の直径の０．２５以下である前記円と前記内周との間の最大半径方向間隙を画定し、当該最大半径方向間隙は、前記内接円の中心を通って延びる半径方向の線に沿って計測され、
前記断面が、前記最大高さの軸に沿って前記底点から前記底部軸交点まで計測される底部断面高さを備え、前記底部断面高さが、前記最大高さの軸に沿って前記頂点から前記底点まで計測される前記最大高さに対して０より大きく０．４以下であり、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の前記内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項２】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二分せず、
前記断面の前記内周内に配置される内接円が、前記内接円の直径の０．２５以下である前記円と前記内周との間の最大半径方向間隙を画定し、当該最大半径方向間隙は、前記内接円の中心を通って延びる半径方向の線に沿って計測され、
前記内接円が、前記内周によって画定される内面積の、全体より小さく６０％以上を占め、
前記断面が、前記最大高さの軸に沿って前記底点から前記底部軸交点まで計測される底部断面高さを備え、前記底部断面高さが、前記最大高さの軸に沿って前記頂点から前記底点まで計測される前記最大高さに対して０より大きく０．４以下であり、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の前記内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項３】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測される筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の内面が内周を画定し、当該内周が、フィルタカートリッジのパルスクリーニングを向上させるとともに、向上した粒子負荷を提供するように構成された卵形の形状を有しており、
前記断面の内周の前記卵形状が非対称であり、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測され、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二分せず、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項４】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測される筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の内面が内周を画定し、当該内周が、フィルタカートリッジのパルスクリーニングを向上させるとともに、向上した粒子負荷を提供するように構成された卵形の形状を有しており、
前記断面の内周の前記卵形状が非対称であり、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測され、
前記内接円が、前記内周によって画定される内面積の、全体より小さく６０％以上を占め、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記底部軸交点が、前記頂点と前記底点との間で計測される前記断面の前記最大高さを二分せず、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっている
ことを特徴とするフィルタカートリッジ。
【請求項５】
パルスクリーニングを用いるエアフィルタシステム内の粒子負荷を向上させるように構成されたフィルタカートリッジにおいて、当該フィルタカートリッジが、
前記フィルタカートリッジの内部空間に面する内面と前記内部空間から見て外方を向く外面とを画定する筒状濾材であって、前記筒状濾材の第１の端部から第２の端部まで伸長する管軸に沿って計測された筒状濾材の長さを画定する筒状濾材と、
前記筒状濾材の前記第１の端部における第１のエンドキャップと、前記筒状濾材の前記第２の端部における第２のエンドキャップとを備えるフィルタカートリッジハウジングと
を備え、
前記筒状濾材の長さの大部分に沿った任意の位置で前記管軸を横断する断面において、前記筒状濾材の前記内面が内周を画定し、当該内周が、フィルタカートリッジのパルスクリーニングを向上させるとともに、向上した粒子負荷を提供するように構成された形状を有しており、
前記断面が、頂点と底点との間で計測される最大高さ（Ｈｍａｘ）を備え、前記頂点および前記底点が前記断面を横切って伸長する任意の直線に沿って互いに最も離れた前記内周上の点であるような位置および方向で、前記頂点および前記底点が、前記内周上で前記断面を横切って伸長する最大高さの軸上に配置され、
前記断面が、前記内周上および最大幅の軸上に配置される第１の点と第２の点との間で計測される最大幅（Ｗｍａｘ）を備え、前記最大幅の軸が、前記最大高さの軸に直交する直線に沿って配置され、前記最大幅の軸が、前記第１の点および前記第２の点が前記最大高さの軸に直交する任意の直線上で互いから最も離れる底部軸交点で、前記最大高さの軸と交差し、
前記断面が、前記最大高さの軸に沿って前記底点から前記底部軸交点まで計測される底部断面高さを備え、当該底部断面高さが０より大きく、
前記断面の前記内周が、前記底点を含有する底部周辺部を備え、前記底部周辺部が、前記内周に沿って前記第１の点から前記第２の点まで計測される底部周辺部長さを備え、
前記断面の前記内周が、前記頂点を含有する上部周辺部を備え、前記上部周辺部が、第１の端部から第２の端部まで延在し、前記第１の端部が、前記第１の点と前記頂点との間の内周に配置され、前記第２の端部が、前記第２の点と前記頂点との間の前記内周に配置され、前記上部周辺部の第１の端部および前記第２の端部が、上部周辺部線が前記内周と交差する点であり、前記上部周辺部が、前記内周に沿って前記第１の端部から前記第２の端部まで計測される上部周辺部長さを備え、
前記上部周辺部線が、前記最大高さの軸に直交し、上部軸交点で前記最大高さの軸と交差する直線であり、前記断面が、前記最大高さの軸に沿って前記上部軸交点から前記内周上の前記頂点まで計測される上部断面高さを備え、
前記上部断面高さが、前記底部断面高さと等しく、
前記底部周辺部長さが、前記上部周辺部長さより大きく、前記フィルタカートリッジは前記底部周辺部が下向きに配向されているときに、より多くの前記筒状濾材が上方よりも下方を向くようになっており、
前記断面の前記内周内に配置される内接円が、エアフィルタのパルスクリーニングを高めるように、前記内接円の直径の０．２５以下である前記円と前記内周との間の最大半径方向間隙を画定し、当該最大半径方向間隙は、前記内接円の中心を通って延びる半径方向の線に沿って計測される
ことを特徴とするフィルタカートリッジ。